(57)【要約】      （修正有）【課題】シンプルで高級感のある空間を、熟練を必要とせずに短時間・低コストで演出したり表現したり出来、かつゴミの発生を少なくしてその廃棄処分を容易に行うことができる陳列用ウォールを提供する。【解決手段】装飾性を備えた表面層を有するラバーマグネットでなるシート体２０と、シート体２０が磁着される着磁性を表面に備えたパネル１０と、を備える。パネル１０の下端部に搬送用の転動ローラを取り付け、パネル１０の下端部の全幅部分を溝形の枠体３０嵌合することによって転動ローラを覆い隠す。パネル１０の自立姿勢を補助する台座４０を設ける。パネル１０の表面に、着色や柄模様による装飾性を付与しておいてもよい。【選択図】図１
0003165975.tif 000002
【実用新案登録請求の範囲】
【請求項１】
着色や柄模様による装飾性を備えた表面層を有するラバーマグネットでなるシート体と、このシート体が磁着される着磁性を表面に備えたパネルと、を備えてなる陳列用ウォール。
【請求項２】
上記パネルが正面視矩形に形作られていると共に、そのパネルの下端部に取り付けられた搬送用の転動ローラと、上記パネルの下端部の全幅部分が嵌合されて上記転動ローラを覆い隠す溝形の枠体と、この枠体に固着されて当該枠体に嵌合された上記パネルの自立姿勢を補助する台座と、が追加されている請求項１に記載した陳列用ウォール。
【請求項３】
上記シート体に、上記パネルの表面の全体を被覆可能なサイズを有する全面被覆シートと、上記パネルの表面の一部を部分的に被覆可能なサイズを有する部分被覆シートと、の２種の被覆シートのうちの少なくとも１種が含まれている請求項１又は請求項２に記載した陳列用ウォール。
【請求項４】
上記パネルの着磁性を有する表面に、着色や柄模様による装飾性が付与されている請求項１ないし請求項３のいずれか１項に記載した陳列用ウォール。
【請求項５】
上記パネルが縦方向に長い金属製の角柱材の側面に固着されて、そのパネルの表面と前記角柱材の表面とが面一に連なっていると共に、前記角柱材に、係止部を有する陳列用治具の前記係止部を係合可能な係合孔部が多段に亘って列設されている請求項１ないし請求項４のいずれか１項に記載した陳列用ウォール。
【請求項６】
上記パネルが縦方向に長い金属製の角柱材の前側を覆うように配備されていて、そのパネルと前記角柱材との重なり箇所に、係止部を有する陳列用治具の前記係止部を係合可能な係合孔部が多段に亘って列設されている請求項１ないし請求項４のいずれか１項に記載した陳列用ウォール。
【考案の詳細な説明】
【技術分野】
【０００１】
本考案は、陳列用ウォール、特に、表面装飾を熟練を必要とせずに容易に変化させることができ、しかも、繰り返し使用を可能にするための対策が講じられた陳列用ウォールに関する。
【背景技術】
【０００２】
商品の陳列又は展示を行うブース（区画）では、建物壁面（ブースの壁面）や間仕切り（パーテーション）などの表面に着色や柄模様の施された壁紙を糊で貼り付けて装飾することによって、ブースのデザインを変化させたり、ブースの雰囲気を陳列商品のイメージに合わせるといったことが行われている。また、ブースの壁面を新調したりブースの壁面に着色や柄模様などを直接に描いたりする本格的なリフォームを行ってブースのデザインや雰囲気を変化させることもある。このようなブースのデザインの変更やリフォームは、デパートなどの大型店舗や商品見本市会場などでは、陳列商品が変わるごとに繰り返し頻繁に行われている。
【０００３】
一方、鉄道模型などのホビーを陳列することに用いられる陳列ケースとして、陳列ケースの開口部に設けた陳列棚を着脱可能にしたものが提案されている（たとえば、特許文献１参照）。
【先行技術文献】
【特許文献】
【０００４】
【特許文献１】特開２００８−８６７３１号公報
【考案の概要】
【考案が解決しようとする課題】
【０００５】
しかしながら、ブースの壁面や間仕切りの表面に壁紙を糊で貼り付けて装飾することには一定の熟練を必要とし、多くの時間が費やされる割りに綺麗な仕上がりを得にくいという問題があった。また、本格的なリフォームを行うには時間と費用がかかりすぎ、また、大量のゴミが発生してその廃棄処分が煩わしく、地球環境に悪影響を及ぼしやすいという問題があった。
【０００６】
本考案は以上の問題に鑑みてなされたものであり、シンプルで高級感のある空間を、それほどの熟練を必要とせずに短時間・低コストで演出したり表現したりすることができ、しかも、店舗が推奨したい商品や商品の情報を表示する広告（全面広告、ポップ広告など）を容易にかつ綺麗に陳列することのできる陳列用ウォールを提供することを目的とする。
【０００７】
また、本考案は、ブースなどに設置するに当たって、ゴミの発生を少なくしてその廃棄処分を容易に行うことができ、地球環境に悪影響を及ぼしにくい陳列用ウォールを提供することを目的とする。
【課題を解決するための手段】
【０００８】
本考案に係る陳列用ウォールは、着色や柄模様による装飾性を備えた表面層を有するラバーマグネットでなるシート体と、このシート体が磁着される着磁性を表面に備えたパネルと、を備えてなる。
【０００９】
この構成の陳列用ウォールでは、装飾性や商品展示性に関し、パネルの表面に貼り付けられる（磁着される）シート体の表面層が着色や柄模様による装飾性を備えていることにより、パネルの表面に貼り付けられたシート体がパネルを装飾する壁紙やポップ広告としての機能を発揮する。また、パネルの表面に貼り付けたシート体の表面にさらに磁着タイプの陳列用治具を貼り付けて保持させることも可能であるので、そうすることによって、商品を陳列用治具に吊り下げて展示したり商品を置くための棚をパネルに取り付けたりすることも可能になる。
【００１０】
一方、当該陳列用ウォールの施工性に関しては、シート体を形成しているラバーマグネットが、柔軟性を有して切断加工や貼付け作業（パネルの表面に磁着させる作業）が容易であるという特性を有しているので、作業の習熟度がそれほど高くない一般人や素人であっても、カッターや鋏を使用して容易に所定の形状やサイズに切断することができる。しかも、シート体に一定の腰の強さが備わっているという性質により、パネルの表面にシート体を重ね合わせるだけで皺を生じさせずにシート体をパネルの表面に綺麗に貼り付けることができるだけでなく、貼り直しも容易に行うことが可能である。したがって、本考案に係る陳列用ウォールによると、シンプルで高級感のある空間を、それほどの熟練を必要とせずに短時間・低コストで演出したり表現したりすることができ、しかも、容易にかつ綺麗に仕上げることができるようになる。また、パネルやシート体についての材料コストや運搬のためのコスト、施工コストなどが、全体的には従来の本格的なリフォームに比べて低コストで済むという利点もある。
【００１１】
さらに、使用後には、パネルとパネルから剥がしたシート体とを回収して再利用することも可能である。そのため、ゴミの発生が少なくなって、少量のゴミの廃棄処分を容易に行うことができ、地球環境にも悪影響を及ぼしにくくなる。
【００１２】
本考案では、上記パネルが正面視矩形に形作られていると共に、そのパネルの下端部に取り付けられた搬送用の転動ローラと、上記パネルの下端部の全幅部分が嵌合されて上記転動ローラを覆い隠す溝形の枠体と、この枠体に固着されて当該枠体に嵌合された上記パネルの自立姿勢を補助する台座と、が追加されていることが望ましい。
【００１３】
この構成であれば、台座の機能を利用して、正面視矩形のパネルをデパートなどのブースの壁面の前で自立させて設置したり、ブースの床面と天井面との間に亘って自立させて設置したりすることが可能であり、さらには、１つのブースの床面に自立させてそのブースを仕切る間仕切りとして利用することも可能である。また、パネルが搬送用の転動ローラを備えていることにより、その転動ローラを床面上で転動させながらパネルを施工場所へ楽に搬送することが可能である。それにもかかわらず、搬送用の転動ローラは、枠体にパネルの下端部の全幅部分を嵌合することによってその枠体によって覆い隠されるので、当該陳列用ウォールの施工後に転動ローラが目立って見苦しくなるという事態が起こらなくなり、あたかもブースが新設されたようなシンプルで高級感のある演出や表現がなされる。
【００１４】
本考案では、上記シート体に、上記パネルの表面の全体を被覆可能なサイズを有する全面被覆シートと、上記パネルの表面の一部を部分的に被覆可能なサイズを有する部分被覆シートと、の２種の被覆シートのうちの少なくとも１種が含まれていることが望ましい。
【００１５】
ラバーマグネットでなるシート体は薄平板状やロール巻き状、さらには紐状などの形態で一般的に提供されている。このことから、大型のパネルの表面の全体を被覆可能なサイズを有する全面被覆シートには、ロール巻き状のラバーマグネットをパネルのサイズに合わせて切断したものを用いることができ、小型のパネルの表面の全体を被覆可能なサイズを有する全面被覆シートには、薄平板状のラバーシートをそのまま、あるいは、薄平板状又はロール巻き状のラバーシートをパネルのサイズに合わせて切断したものを用いることができる。また、パネルの表面の一部を部分的に被覆可能なサイズを有する部分被覆シートには、薄平板状やロール巻き状のラバーマグネット、あるいは、紐状のラバーマグネットを切断することによって得られるものを用いることができる。
【００１６】
本考案では、上記パネルの着磁性を有する表面に、着色や柄模様による装飾性が付与されている、という構成を採用することも可能である。この構成であれば、パネルの表面の着色や柄模様による装飾性を生かした商品の陳列が可能になる。
【００１７】
本考案では、上記パネルが縦方向に長い金属製の角柱材の側面に固着されて、そのパネルの表面と前記角柱材の表面とが面一に連なっていると共に、前記角柱材に、係止部を有する陳列用治具の前記係止部を係合可能な係合孔部が多段に亘って列設されていてもよい。また、上記パネルが縦方向に長い金属製の角柱材の前側を覆うように配備されていて、そのパネルと前記角柱材との重なり箇所に、係止部を有する陳列用治具の前記係止部を係合可能な係合孔部が多段に亘って列設されていてもよい。これらの構成を採用しておくと、陳列用治具の係止部をパネル側の係合孔部に係合することによって、陳列用治具をパネルに単段又は多段に亘って取り付けることが可能になるという利便性がある。
【考案の効果】
【００１８】
以上のように、本考案に係る陳列用ウォールによれば、シンプルで高級感のある空間を、それほどの熟練を必要とせずに短時間・低コストで演出したり表現したりすることができるだけでなく、店舗が推奨したい商品や商品の情報を表示する広告（全面広告、ポップ広告など）を容易にかつ綺麗に陳列することが可能になる。また、ブースなどに設置するに当たって、ゴミの発生を少なくしてその廃棄処分を容易に行うことができ、地球環境に悪影響を及ぼしにくい陳列用ウォールを提供することが可能になる。
【図面の簡単な説明】
【００１９】
【図１】本考案の実施形態に係る陳列用ウォールを一部省略して示した概略斜視図である。
【図２】シート体を説明的に示した断面図である。
【図３】陳列用ウォールの施工状態を一部省略して例示した一部破断側面図である。
【図４】陳列用ウォールの他の施工状態を一部省略して例示した一部破断側面図である。
【図５】陳列用ウォールの利用例を説明的に示した概略斜視図である。
【図６】陳列用ウォールの他の利用例を説明的に示した概略斜視図である。
【図７】他の実施形態による陳列用ウォールの概略斜視図である。
【図８】図７の要部を示した横断平面図である。
【図９】他の実施形態の変形例による陳列用ウォールの要部を示した横断平面図である。
【図１０】陳列用治具としての棚受け金具などを説明的に例示した分解斜視図である。
【考案を実施するための形態】
【００２０】
図１は本考案の実施形態に係る陳列用ウォールＡを一部省略して示した概略斜視図、図２はシート体２０を説明的に示した断面図である。また、図３は陳列用ウォールＡの施工状態を一部省略して例示した一部破断側面図、図４は陳列用ウォールＡの他の施工状態を一部省略して例示した一部破断側面図である。さらに、図５は陳列用ウォールＡの利用例を説明的に示した概略斜視図、図６は陳列用ウォールＡの他の利用例を説明的に示した概略斜視図である。
【００２１】
図１に示した陳列用ウォールＡは、ラバーマグネットでなるシート体２０と、このシート体２０が貼り付けられたパネル１０とを備えているほか、パネル１０の下端部の全幅部分が嵌合されている溝形の枠体３０や、パネル１０の自立姿勢を安定させている台座４０などを備えている。
【００２２】
パネル１０は、着磁性を備えた金属薄板、たとえば肉薄の鉄板１１でなる。図例のパネル１０では、縦方向に長い金属製の角柱材１２をスペーサとして、その前後両側に肉薄の鉄板１１，１１を固着しているけれども、この点は、角柱材１２の片側だけに鉄板１１を固着したものであってもよい。図例の陳列用ウォールＡでは、角柱材１２が、その前後の鉄板１１，１１の相互間隙間を適切に保持することに役立っているだけでなく、前後の肉薄の鉄板１１，１１の変形を防ぐための補強材としての作用をも発揮している。したがって、パネル１０を形成している鉄板１１自体が十分に大きな耐変形強度を有しているときには、角柱材１２を設ける必要は必ずしもない。また、パネル１０は正面視矩形に形成されていて、その下端部には、図４又は図５に示したように、１個又は複数個の転動ローラ１３が取り付けられている。角柱材１２の両側の鉄板１１，１１の各表面、すなわちパネル１０の平坦な表裏両面には、鉄板１１などの金属薄板によって発揮される着磁性、すなわち磁石を吸着する性質が付与されている。
【００２３】
シート体２０には、その表面層に有彩色又は無彩色（白色、灰色、黒色）の着色が施されたラバーマグネットや、木目模様やその他の柄模様が施されたラバーマグネットが含まれる。図２に示したシート体２０の表面層２１に施される着色や柄模様は、ラバーマグネットの表面に直接に印刷したものであっても、それらの着色や柄模様を印刷したフィルムをラバーマグネットの表面に重ね合わせて接合したものであってもよい。シート体２０として採用されているラバーマグネットは、ゴム磁石とも称され、フェライト磁石粉末又はネオジム磁石粉末を合成ゴムと混合して、成形又は裁断によって薄平板状、紐状、長尺のロール巻き状にしたものである。この種のラバーマグネットは、それ自体が一定の腰の強さを有しているために容易に皺を発生しないという特性を持っている。
【００２４】
図１のようにパネル１０の着磁性を有する表面に、ラバーマグネットでなるシート体２０が重ね合わせて貼り付けられる。そのときの接合強度はシート体２０のサイズが大きければ大きいほど大きくなる。そして、パネル１０の表面に貼り付けられたシート体２０が容易に位置ずれしてしまうこともない。また、シート体２０の端部を手でめくり上げることによって、そのシート体２０をパネル１０から容易に剥がし取ることができる。
【００２５】
この陳列用ウォールＡでは、装飾性や商品展示性に関し、パネル１０の表面に貼り付けられたシート体２０の表面層２１が着色や柄模様による装飾性を備えていることにより、そのシート体２０が、パネル１０やパネル１０を設置したブースを装飾する機能を発揮する。したがって、たとえば大型の陳列用ウォールＡをブースの壁面に重ね合わせて設置してその壁面の全体又はほゞ全体を覆い隠すようにすると、その陳列用ウォールＡの表面のシート体２０が壁紙としての装飾機能を発揮し、シンプルで高級感のある空間を、それほどの熟練を必要とせずに短時間・低コストで演出したり表現したりすることができるようになる。
【００２６】
図１のようにパネル１０の表面に貼り付けられたシート体２０については、その表面に磁着タイプ（磁力で鉄板に吸着するタイプ）のフックなどの陳列用治具（不図示）を貼り付けて保持させることも可能である。したがって、たとえば、シート体２０の表面に貼り付けたフックに商品を吊り下げて展示したり商品を置くための棚をパネルに取り付けたりすることも可能である（この点についてはさらに後述する）。また、パネル１０の表面に貼り付けられたシート体２０の表面に、さらにサイズの異なるラバーマグネットでなるシート体を磁着させる（貼り付ける）ことも可能である。
【００２７】
シート体２０をパネル１０の表面に貼り付けるときには、上記したようにシート体２０の位置を合わせてパネル１０の表面に重ね合わせる作業を行うだけでよいので、その貼付け作業に熟練を必要せず、しかも、シート体２０を形成しているラバーマグネットの上述した特性によって皺が発生したり貼付けむらが発生したりすることもない。また、シート体２０のサイズが大きすぎるときには、シート体２０をカッターや鋏を用いて切断してそのサイズを容易に精度よく調節することができるため、作業の習熟度がそれほど高くない一般人や素人であっても貼付け作業を容易にこなすことができる。さらに、パネル１０にシート体２０を貼り付けたときに、位置ずれが生じているようなときには、シート体２０をパネル１０の表面からいったん剥がし取った後、容易に貼り直すことが可能であるという利便性もある。
【００２８】
図３又は図４に示したように、正面視矩形のパネル１０の下端部に１個又は複数個の転動ローラ１３が取り付けられていて、この転動ローラ１３を床面上で転動させることによってパネル１０を楽に移動させることができる。そのため、パネル１０に転動ローラ１３が取り付けられているということは、パネル１０を施工場所に搬入したり、解体したパネル１０を施工場所から搬出したりするときの労力や運搬のためのコストを軽減する上で有益である。
【００２９】
図１のように、パネル１０の下端部の全幅部分が、Ｕ字形の枠体３０に嵌合されていて、その枠体３０がパネル１０の下部縁枠を形成している。この構成を採用したことによって、パネル１０の下端部の上記転動ローラ１３が枠体３０によって覆い隠されて外部から見えなくなっている。しかも、枠体３０の下部縁枠としての作用によって、パネル１０の外観がすっきりとしたものに整えられている。
【００３０】
台座４０は、枠体３０の長手方向中央部に固着されていて、パネル１０の自立姿勢を補助する役目を担っている。図３に示した施工状態では、台座４０が、枠体３０の片側と他側との両方に固着されたＬ字形断面の金属材４１，４１でなる。この構成であると、陳列用ウォールＡの傾倒が枠体３０の両側のＬ字形断面の金属材４１でなる台座４０によって防止されて、ブースの床面１００での陳列用ウォールＡの自立が助けられる。また、図４に示した施工状態では、台座４０が、枠体３０の片側だけに固着されたＬ字形断面の金属材でなる。また、陳列用ウォールＡがブースの壁面１１０に重ね合わされていると共に、陳列用ウォールＡがブースの床面１００と天井面１２０との間に亘って設置されて、その陳列用ウォールＡによってブースの壁面１１０が覆い隠されている。この構成であると、陳列用ウォールＡの壁側への転倒がブースの壁面１１０によって防止され、壁の前側への転倒が台座４０によって防止される。
【００３１】
図３又は図４に示した施工状態では、台座４０の下側に耐震ゴム板でなる緩衝体５０を敷設している。この構成であれば、床面１００が波打ってその水平度が低いような場所でも、床面１００の波打ちが緩衝体５０の変形によって吸収されるために、陳列用ウォールＡを垂直に安定して自立させておくことが可能になるという利点がある。なお、図例では、緩衝体５０を、止めねじ５１によって台座４０に固定してあるけれども、この点は、接着剤で緩衝体５０を台座４０に貼着しておいてもよい。
【００３２】
本考案に採用されるシート体２０には、パネル１０の表面の全体を被覆可能なサイズを有する全面被覆シートと、パネル１０の表面の一部を部分的に被覆可能なサイズを有する部分被覆シートと、の２種の被覆シートのうちの少なくとも１種が含まれている。全面被覆シートを用いると、パネル１０を全面被覆シートの表面層の着色や柄模様によって装飾することが可能である。これに対し、部分被覆シートを用いると、パネル１０の表面の一部だけを部分被覆シートの表面層の着色や柄模様によって装飾することが可能であり、ポップ広告などに利用することができる。
【００３３】
図５にはパネル１０の表面を部分被覆シート２５によって装飾した陳列用ウォールＡを示している。図例の部分被覆シート２５は、薄平板状の矩形のラバーマグネットによって形成されている。また、同図の陳列用ウォールＡでは、１枚のパネル１０に複数枚の部分被覆シート２５を横２列、縦４列に並べて貼り付けてあり、それらの部分被覆シート２５の表面に磁着タイプのフック６１を貼り付けて保持させてある。このものでは、フック６１に帽子などの商品Ｓを引っかけて陳列することができる。この陳列用ウォールＡにおいて、パネル１０の表面に着色や柄模様による装飾性が付与されていてもよく、そのようにしておくと、陳列用ウォールＡの表面がパネル１０及び部分被覆シート２５の各表面の着色や柄模様によって装飾されることになる。
【００３４】
図６には、パネル１０の表面を全面被覆シート２２によって装飾した陳列用ウォールＡと、パネル１０の表面を部分被覆シート２５によって装飾した陳列用ウォールＡとを示している。同図において、全面被覆シート２２によって装飾されている陳列用ウォールＡは、ブースの入隅部２００の片側に設置されているのに対し、部分被覆シート２５によって装飾されている陳列用ウォールＡは、ブースの入隅部２００の他側に設置されている。そして、部分被覆シート２５には、文字でなる柄模様が施されていて、ポップ広告としての演出がなされている。図６の事例においても、部分被覆シート２５が貼り付けられているパネル１０の表面に、着色や柄模様による装飾性を付与しておくことが望ましい。
【００３５】
図７は他の実施例による陳列用ウォールＡの概略斜視図、図８は図７の要部を示した横断平面図、図９は他の実施形態の変形例による陳列用ウォールの要部を示した横断平面図である。図１０は図７の陳列用ウォールＡに取り付けられる陳列用治具としての棚受け金具６０などを説明的に例示した分解斜視図である。
【００３６】
図７の陳列用ウォールＡでは、当該ウォールＡに陳列用治具６０としての棚受け金具が取り付けられ、その棚受け具を利用して棚板６４を設けてある。この構成の陳列用ウォールＡによると、棚板６４に商品を載置して陳列することが可能になる。また、この陳列用ウォールＡのパネル１０の表面にはシート体２０が貼り付けられている。そして、そのシート体２０の表面に磁着タイプのフック６１を貼り付けて保持させることも可能である。
【００３７】
図７及び図８に示したように、上記の陳列用ウォールＡでは、横方向に並んでいる２本の縦方向に長い金属製の角柱材１２を挟む両側にパネル１０，１０が配備されていて、それらのパネル１０，１０が角柱材１２の側面に固着されていて、パネル１０，１０の表面と角柱材１２の表面とが面一に連なっている。そして、それぞれのパネル１０にシート体２０が貼り付けられている。また、角柱材１２の両側のパネル１０，１０の相互間で、角柱材１２に他段に亘って列設した係合孔部１５…を露出させている。この構成の陳列用ウォールＡにると、パネル１０の幅方向に並んでいる２つの係合孔部１５のそれぞれに、図１０に仮想線で示したように陳列用治具６０としての棚受け金具の係止部６３を係合させ、それらの棚受け金具の相互間に図７のように棚板６４を載架させることができる。そのため、棚板６４に商品を載置して陳列することが可能になる。また、この陳列用ウォールＡのパネル１０の表面には、上記の係合孔部１５の形成箇所を除く部分に上記したシート体２０が貼り付けられている。そして、そのシート体２０の表面に磁着タイプのフック６１を貼り付けて保持させてある。
【００３８】
図９に示した変形例では、角柱材１２の前側を覆うように配備した一枚のパネル１０をその角柱材１２に固着してあり、しかも、そのパネル１０と横方向に並んでいる２本の角柱材１２（図９には片側の角柱材だけが示されている）との重なり箇所に、他段に亘って係合孔部１５…が列設されている。この構成の陳列用ウォールＡによっても、図７示したように、パネル１０の幅方向に並んでいる２つの係合孔部１５のそれぞれに陳列用治具６０としての棚受け金具を取り付け、それらの棚受け金具の相互間に棚板６４を載架させることができるので、棚板６４に商品を載置して陳列することが可能になる。
【符号の説明】
【００３９】
Ａ  陳列用ウォール
１０  パネル
１２  角柱材
１３  転動ローラ
１５  係合孔部
２０  シート体
２１  表面層
２２  全面被覆シート
２５  部分被覆シート
３０  枠体
４０  台座
６０  陳列用治具（棚受け金具）
６１  フック（陳列用治具）
６３  係止部
【図１】
0003165975.tif 000003
【図２】
0003165975.tif 000004
【図３】
0003165975.tif 000005
【図４】
0003165975.tif 000006
【図５】
0003165975.tif 000007
【図６】
0003165975.tif 000008
【図７】
0003165975.tif 000009
【図８】
0003165975.tif 000010
【図９】
0003165975.tif 000011
【図１０】
0003165975.tif 000012